(57)【特許請求の範囲】
【請求項１】
走行しながら圃場から穀稈を刈り取り、刈取穀稈を脱穀することで得られた穀粒を穀粒タンクに貯留するコンバインにおいて、
前記圃場を特定する圃場識別情報を管理する圃場識別情報管理部と、
前記穀粒タンクに供給される穀粒の成分に関する測定値を出力する穀粒測定部と、
通信回線を介して前記圃場識別情報を管理サーバに送信するとともに、前記圃場識別情報によって特定された圃場のための演算情報を前記管理サーバから受信する通信部と、
前記圃場で収穫された穀粒の成分を示す穀粒成分値を前記測定値から導出するための最適な測定値・穀粒成分値テーブルを、前記演算情報を用いて決定するテーブル管理部と、
前記テーブル管理部によって決定された測定値・穀粒成分値テーブルを用いて前記測定値から穀粒成分値を求める穀粒成分値演算部と、
を備えているコンバイン。
【請求項２】
前記測定値から穀粒成分値を導出するための複数の測定値・穀粒成分値テーブルを格納するテーブル格納部が備えられ、
前記テーブル管理部は、前記演算情報を検索条件として前記テーブル格納部から抽出された測定値・穀粒成分値テーブルを前記最適な測定値・穀粒成分値テーブルとして決定する請求項１に記載のコンバイン。
【請求項３】
前記測定値・穀粒成分値テーブルの基準となる基準測定値・穀粒成分値テーブルが格納されており、
前記テーブル管理部は、前記演算情報に基づいて前記基準測定値・穀粒成分値テーブルを補正することで前記最適な測定値・穀粒成分値テーブルを決定する請求項１に記載のコンバイン。
【請求項４】
前記演算情報は、前記圃場で収穫される穀粒の種別または品種あるいはその両方である請求項１から３のいずれか一項に記載のコンバイン。
【請求項５】
前記演算情報が、前記測定値から前記穀粒成分値を導出するための前記最適な測定値・穀粒成分値テーブルである請求項１に記載のコンバイン。
【請求項６】
前記穀粒タンクに供給される穀粒の少なくとも一部を受け入れる一時貯留室が設けられ、前記穀粒測定部は、前記一時貯留室に一時的に貯留されている穀粒に対して照射した光の分光測定に基づいて前記測定値を出力し、前記穀粒成分値演算部は前記測定値から少なくとも水分を求める請求項１から５のいずれか一項に記載のコンバイン。
【請求項７】
前記穀粒成分値演算部は、前記測定値からタンパク質の成分値を導出する請求項６に記載のコンバイン。
【請求項８】
前記穀粒成分値を表示可能な表示部を備えている請求項１から７のいずれか一項に記載のコンバイン。
【発明の詳細な説明】
【技術分野】
【０００１】
走行しながら圃場から穀稈を刈り取り、刈取穀稈を脱穀することで得られた穀粒を穀粒タンクに貯留するコンバインに関する。
【背景技術】
【０００２】
穀粒タンクへの穀粒供給口から流入してくる穀粒を回転する電極ローラ間で圧砕するともに圧砕された状態の穀粒の電気抵抗値を検出する水分センサが穀粒タンク内に設けられ、この電気抵抗値から穀粒水分量を測定する穀粒水分量測定手段が制御装置に設けられているコンバインが、特許文献１から知られている。この穀粒水分量測定手段は、水分センサからの電気抵抗値から所定の穀粒水分量換算用演算式やＬＵＴ（ルックアップテーブル）を用いて穀粒水分量を演算する。具体的には検量線と呼ばれる穀粒水分量換算用の演算式やＬＵＴは、収穫する作物の種類毎及び品種毎にＲＯＭに予め登録されている。
【０００３】
特許文献１によるコンバインに備えられた穀粒水分量測定手段では、制御装置のＲＯＭに予め登録された検量線（測定値から穀粒水分値を導出するテーブル）が用いられている。しかしながら、同一の作物の種類及び品種であっても、その地域や年度によって、測定値と穀粒成分値（穀粒水分値はその一種）との関係は異なっている。さらに、穀粒水分量を導出するための元になる測定値が、電気抵抗値ではなく分光測定値などの測定値と穀粒成分値との関係が高精度である測定法が採用された場合では、単に作物の種類毎及び品種毎に予め登録されている検量線を使い続けるだけでは、満足できる穀粒成分の算定ができないという不都合が生じる。
【先行技術文献】
【特許文献】
【０００４】
【特許文献１】特開２００６−０８１４８８号公報
【発明の概要】
【発明が解決しようとする課題】
【０００５】
上述の実情に鑑み、収穫時において、より精度の高い穀粒成分値を求めることができるコンバインが要望されている。
【課題を解決するための手段】
【０００６】
走行しながら圃場から穀稈を刈り取り、刈取穀稈を脱穀することで得られた穀粒を穀粒タンクに貯留する、本発明によるコンバインは、前記圃場を特定する圃場識別情報を管理する圃場識別情報管理部と、前記穀粒タンクに供給される穀粒の成分に関する測定値を出力する穀粒測定部と、通信回線を介して前記圃場識別情報を管理サーバに送信するとともに前記圃場識別情報によって特定された圃場のための演算情報を前記管理サーバから受信する通信部と、前記圃場で収穫された穀粒の成分を示す穀粒成分値を前記測定値から導出するための最適な測定値・穀粒成分値テーブルを前記演算情報を用いて決定するテーブル管理部と、前記テーブル管理部によって決定された測定値・穀粒成分値テーブルを用いて前記測定値から穀粒成分値を求める穀粒成分値演算部とを備えている。
【０００７】
この構成によれば、穀粒測定部から出力された穀粒の成分に関する測定値から穀粒成分値を導出するための測定値・穀粒成分値テーブルは、通信回線を介して管理サーバから受信する演算情報を用いて決定される。その際、コンバインから収穫対象となっている圃場の圃場識別情報を受け取った管理サーバが、その圃場識別情報に基づいて当該圃場から収穫される穀粒の穀粒成分値を導出するために最適な測定値・穀粒成分値テーブルを決定するための演算情報をコンバインに送信する。これにより、収穫地域や収穫年度などを考慮した最新の、つまり収穫作業中の圃場での収穫穀粒に最適な測定値・穀粒成分値テーブルを用いて、高信頼度の穀粒成分値を求めることができる。
【０００８】
本発明の好適な実施形態の１つでは、前記測定値から穀粒成分値を導出するための複数の測定値・穀粒成分値テーブルを格納するテーブル格納部が備えられ、前記テーブル管理部は、前記演算情報を検索条件として前記テーブル格納部から抽出された測定値・穀粒成分値テーブルを前記最適な測定値・穀粒成分値テーブルとして決定する。なお、テーブル格納部に格納されている測定値・穀粒成分値テーブルは、収穫地域の天候などの環境条件や品種改良などを考慮して、追加または更新される。これにより、収穫する作物の種類毎及び品種、さらには地域や年度変動などを考慮して作成された、測定値と穀粒成分値との関係（計量線とも呼ばれる）が微妙に異なる多くの複数の測定値・穀粒成分値テーブルが抽出可能に格納されている。中央管理センタなどに設置される管理サーバは、コンバインから送られてくる圃場の圃場識別情報に基づいて決定される、収穫穀粒の種類毎及び品種、さらには地域や時期、さらには周辺の圃場における収穫穀粒の品質状況などを入力パラメータとして、当該コンバインが実際に収穫しようとする穀粒にとって最適な測定値・穀粒成分値テーブルを抽出するための検索条件を作成する。この検索条件は、演算情報として当該コンバインに送り出される。コンバインが管理サーバから検索条件を受け取ると、この検索条件に基づいて、収穫しようとする穀粒にとって最適な測定値・穀粒成分値テーブルが設定され、この最適な測定値・穀粒成分値テーブルを用いて、穀粒成分値演算部が精度の高い穀粒成分値を算出することができる。
【０００９】
本発明の別な実施形態の１つでは、前記測定値・穀粒成分値テーブルの基準となる基準測定値・穀粒成分値テーブルが格納されており、前記テーブル管理部は、前記演算情報に基づいて前記基準測定値・穀粒成分値テーブルを補正することで前記最適な測定値・穀粒成分値テーブルを決定する。この実施形態では先の実施形態とは異なり、コンバインが複数の測定値・穀粒成分値テーブルを有するのではなく、基準の測定値・穀粒成分値テーブルだけを有している。コンバインは、管理サーバに圃場の圃場識別情報を送ることによって受け取る演算情報に基づいて基準の測定値・穀粒成分値テーブルを補正して、収穫しようとする穀粒にとって最適な測定値・穀粒成分値テーブルを作成する。したがって、この実施形態での演算情報は、基準の測定値・穀粒成分値テーブルから最適な測定値・穀粒成分値テーブルを作成するための補正情報である。
【００１０】
なお、先に述べた２つの実施形態では、コンバインが最適な測定値・穀粒成分値テーブルを使用するために、管理サーバから圃場の圃場識別情報に応じて送られてくる演算情報が利用される。この演算情報の最も簡単な情報は、圃場で収穫される穀粒の種別または品種あるいはその両方である。この構成では、管理サーバが圃場の圃場識別情報からその時点での当該圃場で収穫される穀粒の種別または品種あるいはその両方を取得することで、各圃場で収穫作業を行うコンバインに対して適切にその収穫穀粒の種別または品種あるいはその両方を演算情報として知らせることができる。これにより、設定される測定値・穀粒成分値テーブルの穀粒の種別または品種と、実際に収穫されている穀粒の種別または品種とが異なっていることから生じる穀粒成分値の算定エラーを回避することができる。
【００１１】
従来型のコンバインなどでは、複数の測定値・穀粒成分値テーブルから最適な測定値・穀粒成分値テーブルを抽出するような機能や、基準の測定値・穀粒成分値テーブルを補正して最適な測定値・穀粒成分値テーブルを作成する機能は備えられていない。そのようなケースにおいては、前記演算情報が、前記測定値から前記穀粒成分値を導出するための前記最適な測定値・穀粒成分値テーブルであるような実施形態が好都合である。コンバインが送った圃場の圃場識別情報に基づいて管理サーバが最適な測定値・穀粒成分値テーブルを選択または作成する。その測定値・穀粒成分値テーブルをテーブル管理部が管理サーバから受け取って設定するだけで、穀粒成分値演算部が測定値から精度の高い穀粒成分値を求めることができる。
【００１２】
本発明によるコンバインでは、上述したように、穀粒測定部の測定値から精度の高い穀粒成分値を求めることができる。このため、穀粒測定部においても、精度の高い測定方法、及び圃場単位ではなく圃場の微小区画単位のきめの細かい穀粒測定が行われることが好ましい。このため、本発明の好適な実施形態の１つでは、前記穀粒タンクに供給される穀粒の少なくとも一部を受け入れる一時貯留室が設けられ、前記穀粒測定部は、前記一時貯留室に一時的に貯留されている穀粒に対して照射した光の分光測定に基づいて前記測定値を出力し、前記穀粒成分値演算部は前記測定値から少なくとも水分を求める構成が採用されている。この構成により、収穫される穀粒は、順次一時貯留室に貯留され、その穀粒成分量、特に食味との関連が高い水分が、分光測定を通じて高精度で求められる。これにより、圃場微細区画単位の営農管理が可能となる。
【００１３】
また、穀粒の重要な栄養成分としてのタンパク質の成分も水分とともに測定可能であれば、営農管理上、好都合である。このため、本発明の好適な実施形態の１つでは、前記穀粒成分値演算部が、前記測定値からタンパク質の成分値を導出するように構成されている。
【００１４】
本発明によるコンバインでは、収穫時に穀粒成分値を圃場微細区画単位で求めることが可能となる。したがって、コンバインが営農管理に通じている運転者によって運転されている場合、その穀粒成分値をリアルタイムあるいは作業途中で確認できると好都合である。このため、本発明の好適な実施形態の１つでは、前記穀粒成分値を表示可能な表示部が備えられている。
【図面の簡単な説明】
【００１５】
【図１】収穫穀粒に対する測定値から正確な穀粒成分値を導出するための基本的な構成を示す模式図である。
【図２】本発明によるコンバインの一例を示す側面図である。
【図３】コンバインの平面図である。
【図４】コンバインに搭載された穀粒タンクの前部を示す横断平面図である。
【図５】穀粒タンク内部を示す模式図である。
【図６】穀粒タンクに設けられた筒状形成体の内部に設けられた貯留シャッタが閉位置の時の計測ユニットの縦断側面図である。
【図７】貯留シャッタが開位置の時の計測ユニットの縦断側面図である。
【図８】コンバインに構築された測定制御系の一例を示す機能ブロック図である。
【発明を実施するための形態】
【００１６】
本発明によるコンバインの具体的な実施形態を説明する前に、図１を用いて、コンバインによる穀粒収穫時にその穀粒の評価を行う評価システムの基本構成を説明する。ここでは、コンバインは走行しながら刈取部１４で圃場から穀稈を刈り取り、刈り取られた穀稈から脱穀装置１５によって穀粒が取り出される。穀粒は、脱穀装置１５から穀粒搬送機構によって穀粒タンク１６に供給される。脱穀装置１５から穀粒タンク１６までの穀粒供給路において、少なくとも一部の穀粒を取り込んで、穀粒の成分に関する測定を行う穀粒測定部３０が装備されている。収穫物が米や小麦の場合、その食味に影響する穀粒成分は、水分やタンパク質である。このことから、穀粒測定部３０が水分やタンパク質に関する測定データを出力できることが好ましい。また、このコンバインは、穀粒収穫時に穀粒成分値を算定することができるため、この穀粒成分値を表示可能な液晶ディスプレイなどの表示部５２を備えることで、運転者は収穫作業中に穀粒成分値を確認することができる。
【００１７】
このコンバインには、圃場を特定する圃場識別情報を管理する圃場識別情報管理部６１が備えられている。圃場識別情報管理部６１は、タッチパネルなどの入力デバイスを用いた運転者による手動入力、圃場に設置されたビーコンなどを用いた自動入力、圃場地図とＧＰＳ測位データとのマッチング、などを通じてこれから収穫作業を行う圃場を特定する圃場識別情報を生成する。水分やタンパク質などの穀粒成分の算定は、穀粒測定部３０からの測定値に基づいて穀粒成分値演算部６２によって行われる。その際、穀粒成分値演算部６２は、穀粒測定部３０からの測定値を入力値とし、特定の穀粒成分値を出力値とする、関数あるいはテーブルを用いる。このような関数あるいはテーブル（簡単なものは計量線とも呼ばれる）を、ここでは、穀粒成分値を測定値から導出する測定値・穀粒成分値テーブルと称する。測定値と穀粒成分値との関係は、測定対象となっている穀粒の種類や状態等によって異なるので、正確な穀粒成分値を得るためには、測定対象の穀粒に最適な測定値・穀粒成分値テーブル（計量線）を使用しなければならない。この最適な測定値・穀粒成分値テーブルを生成または選択するためのルールないしはアルゴリズムはかなり複雑である。また統計的な手法によりルールないしはアルゴリズムを随時改定する必要性も生じてくる。したがって、最適な測定値・穀粒成分値テーブルを生成または選択をコンバインに搭載されているスタンドアローンな制御演算システムだけで行うことは好ましくはない。このことから、このコンバインでは、多くの農家や農機メーカによって運営されている外部の管理サーバ８とデータ交換できる通信部５１が備えられている。コンバインは、通信回線を介して上述した圃場識別情報を管理サーバ８の通信部８１に送信するとともに、当該圃場識別情報によって特定された圃場のための演算情報を管理サーバ８から通信部８１を介して受信する。テーブル管理部６３は、受信した演算情報を用いて最適な測定値・穀粒成分値テーブルを決定する。これによって、穀粒成分値演算部６２は、最適な測定値・穀粒成分値テーブルを用いて測定値から穀粒成分値を求めることができる。
【００１８】
最適な測定値・穀粒成分値テーブルを決定するためにテーブル管理部６３によって利用される演算情報の代表的なものを以下に列挙する。
（１）予めコンバインに多数の測定値・穀粒成分値テーブルを用意しておき、圃場識別情報から特定される圃場に最適な測定値・穀粒成分値テーブルを選択するための選択情報を演算情報とする。簡単な例としては、コンバインに穀粒の種別や品種あるいはその両方毎に異なる測定値・穀粒成分値テーブルを用意しておいた場合、管理サーバ８は、圃場識別情報から特定された圃場で収穫される現時点での穀粒の種別または品種あるいはその両方を演算情報とする。テーブル管理部６３は、この演算情報を選択条件として最適な測定値・穀粒成分値テーブルを選択することができる。これは、コンバインの運転者が圃場や農作に詳しくない場合に好都合である。
（２）予めコンバインに測定値・穀粒成分値テーブルの基準となる基準測定値・穀粒成分値テーブルだけを用意しておき、当該基準測定値・穀粒成分値テーブルを補正することで、圃場識別情報によって特定された圃場に最適な測定値・穀粒成分値テーブルを作成するために必要な情報を演算情報とする。例えば、測定値から穀粒成分値を求める関数の係数、計量線の傾きや平行移動量などを演算情報とすれば、この演算情報を用いて、基準測定値・穀粒成分値テーブルから最適な基準測定値・穀粒成分値テーブルが作成可能である。簡単な例では、係数や傾きを穀粒の種別または品種あるいはその両方で関係づけておけば、情報穀粒の種別または品種あるいはその両方を演算情報とするだけ済ませることができる。
（３）コンバイン側の負担を最も少なくするためには、演算情報自体を最適な測定値・穀粒成分値テーブルとして構成するとよい。つまり、管理サーバ８が、圃場識別情報で特定された圃場で収穫された穀粒に最適な測定値・穀粒成分値テーブルを演算情報として作成して、これをコンバインに送出する。テーブル管理部６３は受け取った最適な測定値・穀粒成分値テーブルを測定値・穀粒成分値テーブル設定部６４を介して設定するだけでよい。
【００１９】
このコンバインには、穀粒タンク１６に供給される穀粒の少なくとも一部を受け入れる一時貯留室が設けられている。穀粒測定部３０は、一時貯留室に一時的に貯留されている穀粒に対して照射した光の分光測定に基づいて測定値を出力する光学式測定装置を採用することができる。穀粒成分値演算部６２はこの測定値から水分やタンパク質の成分値を求めることができる。収穫された穀粒を一時的に貯留しながら穀粒成分を算定することを収穫作業中に繰り返すことで、単位走行距離当たり、つまり圃場の微小区画当たりの穀粒成分値を得ることができる。このような微小区画当たりの穀粒成分値から、特定の圃場における穀粒成分値の分布図を作成することができ、精密営農が実現可能となる。
【００２０】
次に、図面を用いて、本発明によるコンバインの具体的な実施形態の１つを説明する。図２はクローラ走行式の自脱型コンバインの側面図であり、図３は平面図である。このコンバインには、エンジン１１によって駆動される左右一対のクローラ走行装置１２によって自走するように構成された走行機体１０が備えられている。走行機体１０の機体フレーム１３の前部に支持された植立穀稈を刈取る刈取部１４と、刈取穀稈を脱穀処理する脱穀装置１５と、脱穀装置１５によって脱穀された穀粒を貯留する穀粒タンク１６と、穀粒タンク１６内の穀粒を外部に排出する穀粒排出装置であるアンローダ１７と、運転者が着座する運転座席１８等が備えられた運転操縦部１９とが備えられている。
【００２１】
図２及び図３に示すように、穀粒タンク１６は、機体フレーム１３のうち脱穀装置１５に対して機体右横側に配置され、エンジン１１の後方に位置する。穀粒タンク１６の左横側部には、揚送スクリュー２６が備えられている。揚送スクリュー２６は、穀粒タンク１６内の機体左横部に配置されている。揚送スクリュー２６は、脱穀装置１５から搬送されてきた穀粒を流入口２７まで揚送する。図４に示すように、流入口２７まで揚送された穀粒は、揚送スクリュー２６と一体に設けられて反時計まわりに回転駆動される回転羽根２８によって流入口２７から跳ね飛ばされて、穀粒タンク１６内に広範囲に拡散されながら飛翔し、落下する。流入口２７から供給された穀粒のうちの大部分は穀粒タンク１６内の内部空間Ｍに供給される。穀粒の成分に関する測定値を出力する穀粒測定部３０が穀粒タンク１６の前部に配置されている。この穀粒測定部３０は、流入口２７から供給された穀粒の一部を内部に一時的に貯留し、貯留状態の穀粒に光ビームを照射し、戻ってくる光ビームの分光計測結果を出力する。
【００２２】
図２と図３に示すように、穀粒タンク１６内の底部には、穀粒タンク１６に貯留された穀粒を外部に排出するように構成されている機体前後向きの排出オーガ２４が設けられている。排出オーガ２４は、エンジン１１の駆動力により作動される。排出オーガ２４によって、穀粒タンク１６に貯留された穀粒が、穀粒タンク１６の後部から排出され、さらにアンローダ１７を通じて外部へ排出される。
【００２３】
図２と図３に示すように、穀粒タンク１６の前部の下方位置には、穀粒タンク１６内の穀粒の収量を穀粒タンク１６の重量に基づいて測定するように構成されているロードセルが収量測定器７０として備えられている。
【００２４】
図５に示すように、穀粒測定部３０は、穀粒タンク１６の前壁１６ａに、防振ゴムを介してねじ固定されている。穀粒測定部３０は、測定容器３０Ａと測定ユニット３０Ｂとからなる。図６と図７に示すように、測定ユニット３０Ｂは、穀粒の水分とタンパクの成分値に関する測定データを取得する光学プローブ３１が内蔵された箱状のハウジング３２を備えている。測定容器３０Ａは、光学プローブ３１による穀粒成分測定を行う穀粒を一時貯留させるための、一時貯留部３３を備えている。
【００２５】
測定容器３０Ａは、穀粒タンク１６の内部空間Ｍの方を向いた第１壁３４１と、左右一対の側壁３４３と、測定ユニット３０Ｂの方を向いた第２壁３４２とからなる断面矩形の筒体である。なお、この実施形態では、第２壁３４２はハウジング３２の内部空間Ｍの方を向いた垂直な壁面部分で兼用されている。もちろん、第２壁３４２が個別に設けられてもよい。このような測定容器３０Ａの構造により、その内部に、垂直に延びた穀粒経路３４が作り出され、穀粒経路３４の途中に一時貯留部３３が形成される。穀粒経路３４は、穀粒を取り込む上部の取込口３４ａと、穀粒を排出する下部の排出口３４ｂを有する。
【００２６】
一時貯留部３３は、脱穀装置１５から搬送されてきて回転羽根２８（図４参照）によって跳ね飛ばされた穀粒の一部を、一時的に貯留するように構成されている。一時貯留部３３は、一時貯留部３３の上部に形成された取込口３４ａから脱穀装置１５より搬送されてきた穀粒の一部を取り込んで一時的に貯留し、一時貯留部３３の下部に形成された排出口３４ｂから一時貯留部３３に貯留された穀粒を穀粒タンク１６内の内部空間Ｍへ排出されるように構成されている。一時貯留部３３の上部には、測定容器３０Ａの側壁３４３に穀粒を検知する近接センサからなる貯留量検出器７４１が備えられている。一時貯留部３３の下部には、排出口３４ｂを閉塞または開放する貯留シャッタ３５が備えられている。一時貯留部３３に貯留された穀粒の品質を検出する光学プローブ３１は一時貯留部３３に臨んでいる。
【００２７】
貯留シャッタ３５は、板状の揺動式に構成されている。貯留シャッタ３５は、モータ３７を駆動してカム等によって構成される切換機構３６によって、水平姿勢となる貯留用閉位置と、下向き垂直姿勢となる排出用開位置とに切り替えられる。貯留シャッタ３５は、貯留シャッタ３５の開閉方向と交差する横向きの支軸３８周りに揺動する。支軸３８は、測定容器３０Ａの第１壁３４１に支持されている。
【００２８】
図８は、このコンバインに構築された測定制御系の機能ブロック図である。この機能ブロック図には、穀粒測定部３０、収量測定器７０、測定制御系の中核要素である測定制御モジュール６を構築する制御ユニット５、遠隔地の農業管理センタに構築されている管理サーバ８が示されている。制御ユニット５には、管理サーバ８と無線データ通信が可能な通信部５１、液晶パネルなどで構成される表示部５２、データ入力インターフェースである入力信号処理部５３、種々の動作機器を制御する機器制御部５４、測定制御モジュール６などが含まれている。実質的にプログラムの実行を通じて構築される測定制御モジュール６の各機能は、図１を用いて説明された測定制御の基本原理を採用している。
【００２９】
入力信号処理部５３には、穀粒測定部３０及び収量測定器７０からの測定値信号、センサ・スイッチ群７４の１つである貯留量検出器７４１からの貯留完了信号（又は貯留未了信号）、タッチパネルなどの人為操作入力デバイス７１からの入力操作信号、各種のセンサやスイッチからの検出信号などが入力される。さらに、計測始動スイッチ（非図示）などの測定制御に関するスイッチからの信号も入力される。入力信号処理部５３に入力された信号は、必要な前処理を受けて、測定制御モジュール６に転送される。機器制御部５４は、コンバインに装備されている種々の動作機器の制御を行うための制御機能を備えている。例えば、シャッタ制御部５４１は、穀粒測定部３０において穀粒の一時貯留を行うために、貯留シャッタ３５を開閉するモータ３７に開閉制御指令を与える。この実施形態では、貯留量検出器７４１からの信号に基づいて、一時貯留部３３における穀粒が所定量以上貯留された状態を検知することで、穀粒測定部３０による測定を開始する。穀粒測定部３０による測定が終了すると、貯留シャッタ３５を開位置に揺動させ、一時貯留部３３で貯留された穀粒を排出する。次いで、貯留シャッタ３５を閉位置に揺動させ、次の測定に移行する。
【００３０】
測定制御モジュール６には、圃場識別情報管理部６１、穀粒成分値演算部６２、テーブル管理部６３、測定値・穀粒成分値テーブル部６４、収量演算部６５、表示データ生成部６６、収穫情報記録部６７が含まれている。
【００３１】
圃場識別情報管理部６１は、穀粒を収穫するためにコンバインが穀稈を刈り取る圃場を確定し、その確定された圃場を特定する圃場識別情報を管理する。収穫対象となる圃場の確定には、種々の方法がある。たとえば、（１）圃場に設置された圃場ＩＤ保持体から、近距離無線通信やＯＣＲなどによって圃場ＩＤを受け取って、この圃場ＩＤに基づいて収穫対象となる圃場を確定する、（２）運転者が写真や地図を参照しながら実際の圃場を目で確認して、収穫対象となる圃場を人為操作入力デバイス７１等を通じて入力する、（３）正確な圃場地図が作成されている場合は、圃場地図とＧＰＳによる方位情報（経緯度）とのマッチングによって収穫対象となる圃場を確定する、などである。
【００３２】
収量演算部６５は、ロードセルである収量測定器７０の測定値から測定値・収量変換テーブルを用いて収量を算定する。なお、この実施形態では、収量演算部６５は、所定のサンプリング時間で算定した収量から、指定の開始時点から指定の終了時点までの収量の増加量を演算することで、走行距離当たりの収量を算定する機能を有する。収量演算部６５で算定される収量はその収穫位置（走行位置）とともに収穫情報記録部６７に記録される。
【００３３】
穀粒成分値演算部６２は、測定値・穀粒成分値テーブル部６４に設定されている収穫対象圃場に最適な測定値・穀粒成分値テーブルを用いて穀粒測定部３０からの測定値から穀粒成分値として、水分とタンパク質を求める。この収穫対象圃場に最適な測定値・穀粒成分値テーブルの決定は、圃場識別情報管理部６１で管理されている圃場識別情報を管理サーバ８に送信することで、管理サーバ８から送られてくる演算情報に基づいて行われる。このため、管理サーバ８には、圃場別演算情報生成部８２が備えられている。圃場別演算情報生成部８２は、コンバインの通信部５１と管理サーバ８の通信部８１とを通じて送られてくる圃場識別情報から特定される収穫対象圃場で収穫される農作物（穀粒）に最適な測定値・穀粒成分値テーブルを決定するために必要な演算情報を作成する。穀粒成分値演算部６２で算定された水分及びタンパク質はその収穫位置（走行位置）及び収量演算部６５で算定された収量とともに収穫情報記録部６７に記録される。
【００３４】
穀粒成分値演算部６２で算定された水分及びタンパク質及び収量演算部６５で算定された収量は、表示データ生成部６６で視覚データ化され、表示部５２で表示される。その際、穀粒成分値や収量は、走行距離単位または圃場単位で表示可能である。
【００３５】
テーブル管理部６３は、穀粒成分値演算部６２によって用いられる最適な測定値・穀粒成分値テーブルを測定値・穀粒成分値テーブル部６４に設定する。その際、テーブル管理部６３は、管理サーバ８の圃場別演算情報生成部８２から送られてくる演算情報を用いて最適な測定値・穀粒成分値テーブルを決定する。この実施形態では、圃場別演算情報生成部８２は、コンバインから送られてきた圃場識別情報に基づいて、作業対象となっている圃場の作物の種別と品種をデータベースから抽出し、その抽出結果、例えば、種別が米で品種が大和小町２５号を表す作物属性データを演算情報として、コンバインに送出する。受け取った演算情報である作物属性データからテーブル管理部６３は、予め用意している基準測定値・穀粒成分値テーブルを補正し、当該圃場における穀粒成分値を導出するために最適な基準測定値・穀粒成分値テーブルを作成して、測定値・穀粒成分値テーブル部６４に設定する。例えば、Ｓを成分値、Ｘ1、Ｘ2、・・・を分光結果群、Ｆを基準測定値・穀粒成分値テーブル（計量線）とすれば、基準測定値・穀粒成分値テーブルはＳ＝Ｆ（Ｘ1、Ｘ2、・・・、α1、α2）と表すことができ、演算情報としてα1とα2の係数値が与えられると、唯一の最適な基準測定値・穀粒成分値テーブルが決定可能となる。
【００３６】
〔別実施形態〕
（１）図８で示された測定制御系における機能部の区分けは一例であり、それぞれの機能部の統合や、各機能部の分割は任意である。本発明の制御機能が実現するものであればどのような構成でもよいし、またそれらの機能は、ハードウエアまたはソフトウエアあるいはその両方で実現することができる。
（２）上述した実施形態では、収量測定は、穀粒タンク１６の重量増加に基づいて行われた。これに代えて、収量測定も、穀粒を一時的に所定量だけ貯留する測定容器３０Ａを用い、所定量の穀粒が貯留するまでの時間と車速とで単位走行（面積）当たりの収量を算定する構成を採用してもよい。その際、収量測定用の測定ユニット３０Ｂと穀粒成分測定用の測定容器３０Ａとが相互連結された一体的な構造体であってもよいし、互いに独立した別構造体であってもよい。
（３）上述した実施形態では、管理サーバ８の通信部８１と制御ユニット５の通信部５１がデータ交換のために直接つながれていた。これに代えて、管理サーバ８の通信部８１と制御ユニット５の通信部５１との間に運転者が持参するスマートフォンなどの携帯通信端末を介在させてもよい。その際、表示部５２に表示される内容の少なくとも一部が携帯通信端末の表示画面にも表示されると好都合である。
【産業上の利用可能性】
【００３７】
本発明は、自脱型のコンバインの他、全稈投入型コンバインにも利用できる。また、クローラ走行式のコンバインの他、ホイール走行式のコンバインにも利用できる。
【符号の説明】
【００３８】
１４      ：刈取部
１５      ：脱穀装置
１６      ：穀粒タンク
２７      ：流入口
２８      ：回転羽根
３０      ：穀粒測定部
３１      ：光学プローブ
３２      ：ハウジング
３４      ：穀粒経路  
３５      ：貯留シャッタ
５        ：制御ユニット
５１      ：通信部
５２      ：表示部
５３      ：入力信号処理部
５４      ：機器制御部
６        ：測定制御モジュール
６１      ：圃場識別情報管理部
６２      ：穀粒成分値演算部
６３      ：テーブル管理部
６４      ：測定値・穀粒成分値テーブル部
６５      ：収量演算部
６６      ：表示データ生成部
６７      ：収穫情報記録部
７０      ：収量測定器
７１      ：人為操作入力デバイス
８        ：管理サーバ
８１      ：通信部
８２      ：圃場別演算情報生成部
【図１】
0006494344.tif 000002
【図２】
0006494344.tif 000003
【図３】
0006494344.tif 000004
【図４】
0006494344.tif 000005
【図５】
0006494344.tif 000006
【図６】
0006494344.tif 000007
【図７】
0006494344.tif 000008
【図８】
0006494344.tif 000009